(57)【特許請求の範囲】
【請求項１】
自身が管理する複数のブロードキャストエリアのうちの予め設定されたブロードキャストエリアに対して配信情報を無線送信する配信部と、前記ブロードキャストエリア内において前記配信情報を受信可能な複数の端末部と、を備えた情報配信システムであって、
前記端末部は、
自身の位置を示す位置情報を含む端末情報を前記配信部に対して送信する端末情報送信手段、
を備え、
前記配信部は、
前記端末情報を各端末部から取得する端末情報取得手段と、
前記複数のブロードキャストエリアのうちのあるブロードキャストエリアを表す特定エリア、およびこの特定エリアに隣接する隣接エリア、に位置する端末部に関する端末情報を前記端末情報に含まれる位置情報に基づいて抽出し、抽出した端末情報に基づいて前記端末情報を送信した１または複数の端末部の位置を含む配信情報を生成する情報生成手段と、
前記配信情報を前記特定エリアに対してブロードキャスト配信する配信手段と、
を備えたことを特徴とする情報配信システム。
【請求項２】
請求項１に記載の情報配信システムにおいて、
前記情報生成手段は、前記隣接エリアのうちの特定エリア付近の領域に位置する端末部による端末情報、および前記特定エリアに位置する端末部による端末情報に基づく端末情報を前記端末情報に基づいて抽出し、抽出した端末情報に基づいて配信情報を生成すること
を特徴とする情報配信システム。
【請求項３】
請求項１または請求項２に記載の情報配信システムにおいて、
当該情報配信システムにおける配信部に隣接する他の配信部が管理するブロードキャストエリアにおいて、前記他の配信部が取得した端末情報を取得する隣接情報取得手段、を備え、
前記情報生成手段は、前記他の配信部が管理するブロードキャストエリアを表す他装置管理エリアに前記特定エリアが隣接する場合に、前記特定エリア、前記隣接エリア、および前記他装置管理エリアのうちの特定エリアに隣接するブロードキャストエリア、に位置する端末部に関する端末情報を前記端末情報に含まれる位置情報に基づいて抽出し、抽出した端末情報に基づいて配信情報を生成すること
を特徴とする情報配信システム。
【請求項４】
請求項１または請求項２に記載の情報配信システムにおいて、
前記配信部は、
前記他の配信部が管理するブロードキャストエリアを表す他装置管理エリアのうちの前記特定エリアに隣接するブロードキャストエリアに対して前記他の配信部が送信する他配信情報を取得する他配信情報取得手段、を備え、
前記配信手段は、前記配信情報と前記他配信情報とを合わせた情報を配信すること
を特徴とする情報配信システム。
【請求項５】
請求項４に記載の情報配信システムにおいて、
前記他配信情報取得手段は、前記他配信情報のうちの前記配信部が管理するブロードキャストエリア近傍の端末部から取得した端末情報のみに基づく他配信情報を取得すること
を特徴とする情報配信システム。
【請求項６】
請求項１〜請求項５の何れか１項に記載の情報配信システムにおいて、
前記端末部は、前記配信部との通信状態の情報を配信部に対して送信する通信状態送信手段、を備え、
前記配信部は、前記通信状態が一定レベル未満となる端末部に対する配信情報をユニキャスト送信するユニキャスト送信手段、を備えたこと
を特徴とする情報配信システム。
【請求項７】
請求項１〜請求項６の何れか１項に記載の情報配信システムにおいて、
前記情報生成手段は、各ブロードキャストエリアを前記特定エリアとして、それぞれ特定エリアに対応した配信情報を生成し、
前記配信手段は、生成した各配信情報をそれぞれ対応する特定エリアに対して配信すること
を特徴とする情報配信システム。
【請求項８】
請求項１〜請求項７の何れか１項に記載の情報配信システムにおいて、
前記配信手段は、前記複数のブロードキャストエリアに配信情報を送信する際に、ブロードキャストエリア毎に異なるタイミングでデータを送信する時分割多重通信、またはブロードキャストエリア毎に異なる送信周波数を割り当てる周波数分割多重通信を利用すること
を特徴とする情報配信システム。
【請求項９】
請求項１〜請求項８の何れか１項に記載の情報配信システムにおいて、
前記端末部は車両に搭載されており、
前記端末部の端末情報送信手段は、前記端末情報として車両に関する情報である車両情報を送信し、
前記配信部の情報生成手段は、前記配信情報として前記車両情報を含む情報を送信すること
を特徴とする情報配信システム。
【請求項１０】
自身が管理する複数のブロードキャストエリアのうちの予め設定されたブロードキャストエリアに対して配信情報を無線送信する配信装置であって、
請求項１〜請求項９の何れか１項に記載の情報配信システムを構成する配信部として構成されたこと
を特徴とする配信装置。
【請求項１１】
所定のブロードキャストエリア内において配信装置から送信される配信情報を受信可能な端末装置であって、
請求項１〜請求項９の何れか１項に記載の情報配信システムを構成する端末部として構成されたこと
を特徴とする端末装置。
【発明の詳細な説明】
【技術分野】
【０００１】
本発明は、複数の端末装置に情報を提供する情報配信システム、並びにこのシステムを構成する配信装置および端末装置に関する。
【背景技術】
【０００２】
上記の情報配信システムとして、配信装置が複数のブロードキャストエリアのうちの予め設定されたブロードキャストエリアに対して情報を無線配信することで複数の端末装置に情報を提供する情報配信システムが知られている。このようなシステムには、車両等に搭載された端末装置から得られる情報を配信装置が取得し、この情報に基づく渋滞情報を特定のブロードキャストエリアに対して配信するものが知られている(例えば、特許文献１参照)。
【先行技術文献】
【特許文献】
【０００３】
【特許文献１】特表２００９−５１２３５１号公報
【発明の概要】
【発明が解決しようとする課題】
【０００４】
しかしながら、上記情報配信システムでは、端末装置が移動することによって、他のブロードキャストエリアとの境界付近に移動し、他のブロードキャストエリアに移動しようとする際に、他のブロードキャストエリアに移動するまでは、他のブロードキャストエリアで配信される情報を取得できないので、必要な情報の取得が遅れるという問題点があった。
【０００５】
そこで、このような問題点を鑑み、配信装置が複数のブロードキャストエリアに対して情報を無線配信することで複数の端末装置に情報を提供する情報配信システムにおいて、端末装置が他のブロードキャストエリアとの境界付近に移動したときであっても必要な情報の取得が遅れることがないようにすることを本発明の目的とする。
【課題を解決するための手段】
【０００６】
かかる目的を達成するために成された請求項１に記載の情報配信システムにおいて、端末部は、自身の位置を示す位置情報を含む端末情報を配信部に対して送信する端末情報送信手段、を備えている。また、配信部は、端末情報を各端末部から取得する端末情報取得手段と、複数のブロードキャストエリアのうちのあるブロードキャストエリアを表す特定エリア、およびこの特定エリアに隣接する隣接エリア、に位置する端末部に関する端末情報を端末情報に含まれる位置情報に基づいて抽出し、抽出した端末情報に基づいて前記端末情報を送信した１または複数の端末部の位置を含む配信情報を生成する情報生成手段と、配信情報を特定エリアに対してブロードキャスト配信する配信手段と、を備えている。
【０００７】
このような情報配信システムによれば、配信部から配信される配信情報には、隣接エリアに位置する端末部の位置情報に基づく情報が含まれるので、特定エリアの端部（他のエリアとの境界付近）に位置する端末部に対して、この端末エリアの周囲の情報を適切に提供することができる。
【０００８】
ところで、上記の情報配信システムにおいては、請求項２に記載のように、情報生成手段は、隣接エリアのうちの特定エリア付近の領域に位置する端末部による端末情報、および特定エリアに位置する端末部による端末情報に基づく端末情報を端末情報に基づいて抽出し、抽出した端末情報に基づいて配信情報を生成するようにしてもよい。
【０００９】
このような情報配信システムによれば、隣接エリアのうちの特定エリア付近の領域以外の端末情報を利用することがないので、特定エリア内の端末部の近傍のより必要とされる情報のみを端末部に送信することができる。
【００１０】
また、上記の情報配信システムにおいては、請求項３に記載のように、情報配信システムにおける配信部に隣接する他の配信部が管理するブロードキャストエリアにおいて、他の配信部が取得した端末情報を取得する隣接情報取得手段、を備え、情報生成手段は、他の配信部が管理するブロードキャストエリアを表す他装置管理エリアに特定エリアが隣接する場合に、特定エリア、隣接エリア、および他装置管理エリアのうちの特定エリアに隣接するブロードキャストエリア、に位置する端末部に関する端末情報を端末情報に含まれる位置情報に基づいて抽出し、抽出した端末情報に基づいて配信情報を生成するようにしてもよい。
【００１１】
また、請求項４に記載のように、配信部は、他の配信部が管理するブロードキャストエリアを表す他装置管理エリアのうちの特定エリアに隣接するブロードキャストエリアに対して他の配信部が送信する他配信情報を取得する他配信情報取得手段、を備え、配信手段は、配信情報と他配信情報とを合わせた情報を配信するようにしてもよい。
【００１２】
これらのような情報配信システムによれば、当該システムの配信部が管理するブロードキャストエリアに隣接するブロードキャストエリアが他の配信部が管理するエリアであったとしても、この配信部から端末情報を受けることができるので、特定エリアが当該システムの配信部が管理するブロードキャストエリアの端部であったとしても良好に配信情報を配信することができる。
【００１３】
さらに、上記の情報配信システムにおいては、請求項５に記載のように、他配信情報取得手段は、他配信情報のうちの配信部が管理するブロードキャストエリア近傍の端末部から取得した端末情報のみに基づく他配信情報を取得するようにしてもよい。
【００１４】
このような情報配信システムによれば、他配信情報のうちの特定エリア付近の領域以外の情報を利用することがないので、特定エリア内の端末部の近傍のより必要とされる情報のみを端末部に送信することができる。
【００１５】
また、上記の情報配信システムにおいては、請求項６に記載のように、端末部は、配信部との通信状態の情報を配信部に対して送信する通信状態送信手段、を備え、配信部は、通信状態が一定レベル未満となる端末部に対する配信情報をユニキャスト送信するユニキャスト送信手段、を備えていてもよい。
【００１６】
このような情報配信システムによれば、通信状態が良くない場合に、ユニキャスト通信を行うことができるので、確実に配信情報を端末部に送信することができる。
さらに、上記の情報配信システムにおいては、請求項７に記載のように、情報生成手段は、各ブロードキャストエリアを特定エリアとして、それぞれ特定エリアに対応した配信情報を生成し、配信手段は、生成した各配信情報をそれぞれ対応する特定エリアに対して配信するようにしてもよい。
【００１７】
このような情報配信システムによれば、１の配信部で多くのブロードキャストエリアに対して情報を配信することができる。
また、上記の情報配信システムにおいては、請求項８に記載のように、配信手段は、複数のブロードキャストエリアに配信情報を送信する際に、ブロードキャストエリア毎に異なるタイミングでデータを送信する時分割多重通信、またはブロードキャストエリア毎に異なる送信周波数を割り当てる周波数分割多重通信を利用してもよい。
【００１８】
このような情報配信システムによれば、複数のブロードキャストエリアの境界部分において配信情報が混信することを防止することができる。
さらに、上記の情報配信システムにおいては、請求項９に記載のように、端末部は車両に搭載されており、端末部の端末情報送信手段は、端末情報として車両に関する情報である車両情報を送信し、配信部の情報生成手段は、配信情報として車両情報を含む情報を送信するようにしてもよい。
【００１９】
このような情報配信システムによれば、車両情報を取得し、車両の移動に応じて適切な車両情報を含む情報を提供することができる。
次に、上記の目的を達成するためには、請求項１０に記載の配信部として構成してもよいし、請求項１１に記載の端末部として構成してもよい。請求項１０に記載の配信装置は、自身が管理する複数のブロードキャストエリアのうちの予め設定されたブロードキャストエリアに対して配信情報を無線送信する配信装置であって、請求項１〜請求項９の何れか１項に記載の情報配信システムを構成する配信部として構成されている。
【００２０】
また、請求項１１に記載の端末装置は、所定のブロードキャストエリア内において配信装置から送信される配信情報を受信可能な端末装置であって、請求項１〜請求項９の何れか１項に記載の情報配信システムを構成する端末部として構成されている。
【００２１】
これらのような配信装置や端末装置によれば、上記の情報配信システムと同様の効果を享受することができる。
【図面の簡単な説明】
【００２２】
【図１】第１実施形態の情報配信システム１の概略構成を示すブロック図である。
【図２】第１実施形態のリソース管理サーバ１０ａのＣＰＵが実行する機能の概要を示すブロック図である。
【図３】第１実施形態の配信処理を示すフローチャートである。
【図４】第２実施形態の情報配信システム２の概略構成を示すブロック図である。
【図５】第２実施形態のリソース管理サーバ１０ａ，１０ｂのＣＰＵが実行する機能の概要を示すブロック図である。
【図６】第２実施形態の配信処理を示すフローチャートである。
【図７】第３実施形態の情報配信システム３の概略構成を示すブロック図である。
【図８】第３実施形態のリソース管理サーバ１０ａ，１０ｂのＣＰＵが実行する機能の概要を示すブロック図である。
【図９】第３実施形態の配信処理を示すフローチャートである。
【図１０】第４実施形態の情報配信システム４の概略構成を示すブロック図である。
【図１１】第４実施形態のリソース管理サーバ１０ａ，１０ｂのＣＰＵが実行する機能の概要を示すブロック図である。
【図１２】第１変形例の情報配信システム５の概略構成を示すブロック図（ａ）、およびユニキャスト処理を示すフローチャート（ｂ）である。
【図１３】多重通信を示す説明図である。
【発明を実施するための形態】
【００２３】
以下に本発明にかかる実施の形態を図面と共に説明する。
［第１実施形態］
［本実施形態の構成］
図１は、本発明が適用された第１実施形態の情報配信システム１の概略構成を示すブロック図である。
【００２４】
情報配信システム１は、セルラーネットワーク側の装置と車載無線装置とによって構成されており、セルラーネットワーク側の装置が車載無線装置から車両の位置についての情報を含む車両情報を無線取得し、取得した情報を他の車両に無線送信するシステムである。なお、セルラーネットワーク側の装置から送信される情報としては、セルラーネットワーク側の装置が取得した情報をそのまま送信してもよいし、周知の渋滞情報等に情報を加工してから送信してもよいが、本実施形態では、取得した情報をそのまま送信する構成として説明を行う。
【００２５】
セルラーネットワーク側の装置（配信部、配信装置）としては、図１に示すように、リソース管理サーバ１０ａと、ブロードキャストサービス制御部２１，２２（配信手段）と、ゲートウェイ装置３１，４１（ＧＷ）と、無線基地局３２ａ〜３２ｃ、４２ａ〜４２ｃと、を備えている。また、車載無線装置としては、複数の端末装置１００（端末部）を備えている。
【００２６】
リソース管理サーバ１０ａは、ＣＰＵ、ＲＯＭ、ＲＡＭ、データベース等を備えた周知のサーバ装置として構成されており、ＲＯＭ等に格納されたプログラムに基づく処理を実施する。また、リソース管理サーバ１０ａは、配下に複数のブロードキャストエリアが形成されており、これらのブロードキャストエリアのうちの予め設定されたブロードキャストエリア（本実施形態では全てのブロードキャストエリア）に対して配信情報を無線送信するよう構成されている。
【００２７】
本実施形態においては、ブロードキャストエリア１，２の２つのブロードキャストエリアがリソース管理サーバ１０ａの配下にあり、それぞれのブロードキャストエリアに対して異なるデータを配信することができるよう設定されている。このようなリソース管理サーバ１０ａは、端末装置１００を搭載した車両から車両情報を受けて、この車両情報をデータベースに記録する処理や、データベースに記録した車両情報を配信情報として適宜配信する処理（後述する配信処理）等を実施する。
【００２８】
ブロードキャストサービス制御部２１，２２およびゲートウェイ装置３１，４１は、配下にあるブロードキャストエリア毎に設けられており、本実施形態の場合、リソース管理サーバ１０ａの配下にあるブロードキャストエリアの数が２であるため、ブロードキャストサービス制御部２１，２２およびゲートウェイ装置３１，４１も２ずつ配置されている。
【００２９】
ブロードキャストサービス制御部２１，２２は、外部入力されたデータを所定のプロトコルのパケットとして出力する中継装置（回路、またはソフトウェアを実行する装置）として構成されている。
【００３０】
ゲートウェイ装置３１，４１は、リソース管理サーバ１０ａ、並びに自身のブロードキャストエリアに対応するブロードキャストサービス制御部２１，２２および無線基地局３２ａ〜３２ｃ、４２ａ〜４２ｃに接続されている。ゲートウェイ装置３１，４１は、無線基地局３２ａ〜３２ｃ、４２ａ〜４２ｃから得られた車両情報をリソース管理サーバ１０ａに中継するとともに、ブロードキャストサービス制御部２１，２２から得られた配信情報を接続された無線基地局３２ａ〜３２ｃ、４２ａ〜４２ｃに送信する。
【００３１】
無線基地局３２ａ〜３２ｃ、４２ａ〜４２ｃは、ゲートウェイ装置３１，４１から得られた配信情報を自身が通信可能なエリア内の端末装置１００にブロードキャスト送信するとともに、通信可能なエリア内の端末装置１００から得られた車両情報をゲートウェイ装置３１，４１に送信する。
【００３２】
なお、本実施形態では、複数の無線基地局３２ａ〜３２ｃ、４２ａ〜４２ｃによって通信可能な範囲内が１つのブロードキャストエリアを形成しているが、１つの無線基地局に対して１つのブロードキャストエリアを形成していてもよい。また、無線基地局３２ａ〜３２ｃ、４２ａ〜４２ｃは、各端末装置１００に対して、ユニキャストによって通信を行うこともできるよう設定されている。
【００３３】
このような構成においては、無線基地局３２ａ〜３２ｃ、４２ａ〜４２ｃがブロードキャストによりデータを配信する際には、例えば、特開２００９−１２４５９６号公報に記載されているような手法を用いればよく、無線基地局３２ａ〜３２ｃ、４２ａ〜４２ｃがユニキャストによりデータを配信する際には、周知の携帯電話機における通信技術を用いればよい。
【００３４】
次に、端末装置１００は、無線基地局３２ａ〜３２ｃ、４２ａ〜４２ｃとの通信機能を有する携帯電話機としての機能が内蔵された車載装置として構成されている。この端末装置１００は、所定の周期（例えば０．１秒程度毎）に当該端末装置１００を特定するためのＩＤ、自車両の位置情報（例えば、ナビゲーション装置等から取得できるもの）、自車両の走行速度の情報等を車両情報として無線基地局３２ａ〜３２ｃ、４２ａ〜４２ｃに対して送信する（端末情報送信手段）。
【００３５】
また、端末装置１００は、配信情報として他車両の車両情報を受け、この車両情報に基づく各種処理を実施する。例えば、車両情報を送信した車両をその位置とともに地図画像上に表示させたり、他車両の走行速度の情報に基づいて渋滞情報を生成して表示させたりする処理を実施する。
【００３６】
［本実施形態の処理］
次に、リソース管理サーバ１０ａが実施する処理について図２および図３を用いて説明する。図２はリソース管理サーバ１０ａのＣＰＵが実行する機能の概要を示すブロック図、図３はリソース管理サーバ１０ａのＣＰＵが実行する配信処理を示すフローチャートである。なお、図３に示す配信処理は、リソース管理サーバ１０ａの電源が投入されると自身が管理する（配下にある）ブロードキャストエリア毎に処理が開始され、その後、繰り返し実施される処理である。
【００３７】
ここで、以下の説明ではリソース管理サーバ１０ａが配信情報の配信を行うブロードキャストエリアを特定エリアとも呼ぶ。また、この特定エリアに隣接するエリアのうちの同じリソース管理サーバが管理するエリアを隣接エリアとも呼ぶ。
【００３８】
リソース管理サーバ１０ａは、図２に示すように、車両情報集約部１１ａ，１３ａ、エリア端車両情報検出部１２ａ，１４ａ、配信車両情報生成部１５ａ，１６ａとしての機能を備えている。
【００３９】
図３に示す配信処理において、配信処理が開始されるとリソース管理サーバ１０ａは、特定エリアがブロードキャストエリア２である場合の処理として、以下の処理を実施する。すなわち、車両情報集約部１１ａとしての機能を用いてブロードキャストエリア１におけるゲートウェイ装置３１からブロードキャストエリア１内の端末装置１００からの車両情報を取得し、車両情報集約部１３ａとしての機能を用いてブロードキャストエリア２におけるゲートウェイ装置４１からブロードキャストエリア２内の端末装置１００からの車両情報を取得する。なお、車両情報集約部１１ａとしての機能には、同一の車両から取得した車両情報に関して、最新のもののみを保持し、最新でないものを破棄または最新のものと統合する機能を有していてもよい。
【００４０】
そして、エリア端車両情報検出部１２ａとしての機能を用いてブロードキャストエリア１の車両情報集約部１１ａから車両情報を取得し、このエリアの端部、つまり、ブロードキャストエリア２との境界付近の領域（境界から所定の距離以内の領域）に存在する端末装置１００からの車両情報を抽出する（Ｓ１１０：端末情報取得手段）。続いて、配信車両情報生成部１５ａとしての機能を用いて、ブロードキャストエリア２内の端末装置１００からの車両情報、およびブロードキャストエリア１におけるブロードキャストエリア２との境界付近の領域に存在する端末装置１００からの車両情報を取得し、これらの車両情報を合わせた車両情報を生成する（Ｓ１２０：情報生成手段）。
【００４１】
そして、配信車両情報生成部１５ａにて生成された車両情報（配信情報）をブロードキャストエリア２が対応するブロードキャストサービス制御部２２に送信し（Ｓ１３０：配信手段）、配信処理を終了する。
【００４２】
また、リソース管理サーバ１０ａは、特定エリアがブロードキャストエリア１である場合の処理として、以下の処理を実施する。すなわち、エリア端車両情報検出部１４ａとしての機能を用いてブロードキャストエリア２の車両情報集約部１３ａから車両情報を取得し、このエリアの端部に存在する端末装置１００からの車両情報を抽出する（Ｓ１１０）。
【００４３】
そして、配信車両情報生成部１６ａとしての機能を用いて、ブロードキャストエリア１内の端末装置１００からの車両情報、およびブロードキャストエリア２におけるブロードキャストエリア１との境界付近の領域に存在する端末装置１００からの車両情報を取得し、これらの車両情報を合わせた車両情報を生成する（Ｓ１２０）。さらに、配信車両情報生成部１６ａにて生成された車両情報（配信情報）をブロードキャストエリア２が対応するブロードキャストサービス制御部２１に送信し（Ｓ１３０）、配信処理を終了する。
【００４４】
［本実施形態による効果］
以上のように詳述した情報配信システム１において、端末装置１００は、自身が搭載された車両の位置を示す位置情報を含む車両情報をリソース管理サーバ１０ａに対して送信するよう構成されている。また、リソース管理サーバ１０ａは、車両情報を各端末装置１００から取得し、複数のブロードキャストエリアのうちのあるブロードキャストエリアを表す特定エリア（例えばブロードキャストエリア１）、およびこの特定エリアに隣接する隣接エリア（例えばブロードキャストエリア２）、に位置する端末装置１００に関する車両情報を車両情報に含まれる位置情報に基づいて抽出し、抽出した車両情報に基づいて配信情報を生成する。そして、配信情報を特定エリアに対して配信する。
【００４５】
このような情報配信システム１によれば、リソース管理サーバ１０ａ等から配信される配信情報には、隣接エリアに位置する端末装置１００の位置情報に基づく情報が含まれるので、特定エリアの端部（他のエリアとの境界付近）に位置する端末装置１００に対して、この端末エリアの周囲の情報を適切に提供することができる。
【００４６】
また、上記の情報配信システム１においてリソース管理サーバ１０ａは、隣接エリアのうちの特定エリア付近の領域に位置する端末装置１００による車両情報、および特定エリアに位置する端末装置１００による車両情報に基づく車両情報を車両情報に基づいて抽出し、抽出した車両情報に基づいて配信情報を生成する。
【００４７】
このような情報配信システム１によれば、隣接エリアのうちの特定エリア付近の領域以外の車両情報を利用することがないので、特定エリア内の端末装置１００の近傍のより必要とされる情報のみを端末装置１００に送信することができる。
【００４８】
さらに、上記の情報配信システム１においてリソース管理サーバ１０ａは、各ブロードキャストエリアを特定エリアとして、それぞれ特定エリアに対応した配信情報を生成し、生成した各配信情報をそれぞれ対応する特定エリアに対して配信する。
【００４９】
このような情報配信システム１によれば、１のリソース管理サーバ１０ａで多くのブロードキャストエリアに対して情報を配信することができる。
［第２実施形態］
次に、別形態の情報配信システム２について説明する。本実施形態（第２実施形態）以下の実施形態では、第１実施形態の情報配信システム１と異なる箇所のみを詳述し、第１実施形態の情報配信システム１と同様の箇所については、同一の符号を付して説明を省略する。
【００５０】
図４は第２実施形態の情報配信システム２の概略構成を示すブロック図である。情報配信システム２は、図４に示すように、前述のリソース管理サーバ１０ａに加えて、ブロードキャストエリア３およびブロードキャストエリア４を配下とするリソース管理サーバ１０ｂを備えている。
【００５１】
このリソース管理サーバ１０ｂには、ブロードキャストエリア３に対応する構成として、ブロードキャストサービス制御部２３、ゲートウェイ装置５１、無線基地局５２ａ〜５２ｃを備えている。また、ブロードキャストエリア４に対応する構成として、ブロードキャストサービス制御部２４、ゲートウェイ装置６１、無線基地局６２ａ〜６２ｃを備えている。これらのブロードキャストサービス制御部２３，２４、ゲートウェイ装置５１，６１、無線基地局５２ａ〜５２ｃ，６２ａ〜６２ｃの構成については第１実施形態のブロードキャストサービス制御部、ゲートウェイ装置、無線基地局の構成と同様である。
【００５２】
次に、本実施形態のリソース管理サーバ１０ａ，１０ｂが実施する処理について図５および図６を用いて説明する。図５はリソース管理サーバ１０ａ，１０ｂのＣＰＵが実行する機能の概要を示すブロック図、図６はリソース管理サーバ１０ａ，１０ｂのＣＰＵが実行する配信処理を示すフローチャートである。
【００５３】
リソース管理サーバ１０ｂは、図５に示すように、車両情報集約部１１ｂ，１３ｂ、エリア端車両情報検出部１２ｂ，１４ｂ、配信車両情報生成部１５ｂ，１６ｂとしての機能を備えている。
【００５４】
図６に示す配信処理において、配信処理が開始されるとリソース管理サーバ１０ｂは、車両情報集約部１１ｂとしての機能を用いてブロードキャストエリア３におけるゲートウェイ装置５１からブロードキャストエリア３内の端末装置１００からの車両情報を取得し、車両情報集約部１３ｂとしての機能を用いてブロードキャストエリア４におけるゲートウェイ装置６１からブロードキャストエリア４内の端末装置１００からの車両情報を取得する。
【００５５】
そして、前述のＳ１１０、Ｓ１２０の処理をリソース管理サーバ１０ｂにおいても同様に実施する。続いて、データを配信しようとするエリアが、自身が管理するエリア（リソース管理サーバエリア）の端部に位置するエリア（他のリソース管理サーバが管理するエリアに隣接するエリア）であるか否かを判定する（Ｓ２１０）。
【００５６】
データを配信しようとするエリアが、自身が管理するエリアの端部であれば（Ｓ２１０：ＹＥＳ）、隣接するリソース管理サーバ１０ａ，１０ｂから車両情報を取得する（Ｓ２２０：隣接情報取得手段）。この処理において車両情報を取得する際には、自身のブロードキャストエリアとの境界付近の領域に存在する端末装置１００からの車両情報を取得する。なお、この処理においては、隣接するリソース管理サーバ１０ａ，１０ｂから全ての車両情報を取得してもよい。
【００５７】
図４に示す例では、ブロードキャストエリア２およびブロードキャストエリア３が管理するエリアの端部に位置するエリアに相当する。Ｓ２２０の処理では、ブロードキャストエリア２に対応するエリア端車両情報検出部１４ａとしての機能を用いて、ブロードキャストエリア１が対応する配信車両情報生成部１６ａだけでなく、ブロードキャストエリア３が対応する配信車両情報生成部１６ｂにもエリア端の車両情報を送信することで、隣接するリソース管理サーバ１０ａ，１０ｂが他のリソース管理サーバが管理するエリア端の車両情報を取得できるようにしている。
【００５８】
なお、リソース管理サーバ１０ｂは、ブロードキャストエリア３が対応するエリア端車両情報検出部１２ｂとしての機能を用いて、ブロードキャストエリア２に対応するエリア端車両情報検出部１４ａと同様に、ブロードキャストエリア４が対応する配信車両情報生成部１５ｂだけでなく、ブロードキャストエリア２が対応する配信車両情報生成部１５ａにもエリア端の車両情報を送信する。
【００５９】
続いて、配信車両情報生成部１５ａ，１６ｂとしての機能を用いて、取得したエリア端の車両情報を配信情報に付加し（Ｓ２３０：情報生成手段）、前述のＳ１３０の処理に移行する。なお、Ｓ２１０の処理にて、データを配信しようとするエリアが自身が管理するエリアの端部でない場合には（Ｓ２１０：ＮＯ）、直ちにＳ１３０の処理に移行する。
【００６０】
以上のような情報配信システム２においてリソース管理サーバ１０ａ，１０ｂは、情報配信システム１におけるリソース管理サーバ１０ａ，１０ｂ等に隣接する他のリソース管理サーバ１０ａ，１０ｂ等が管理するブロードキャストエリアにおいて、他のリソース管理サーバ１０ａ，１０ｂ等が取得した車両情報を取得し、他のリソース管理サーバ１０ａ，１０ｂが管理するブロードキャストエリアを表す他装置管理エリアに特定エリアが隣接する場合に、特定エリア、隣接エリア、および他装置管理エリアのうちの特定エリアに隣接するブロードキャストエリアに位置する端末装置１００に関する車両情報を車両情報に含まれる位置情報に基づいて抽出し、抽出した車両情報に基づいて配信情報を生成する。
【００６１】
このような情報配信システム１によれば、当該システムのリソース管理サーバ１０ａ，１０ｂ等が管理するブロードキャストエリアに隣接するブロードキャストエリアが他のリソース管理サーバ１０ａ，１０ｂ等が管理するエリアであったとしても、他のリソース管理サーバ１０ａ，１０ｂ等から車両情報を受けることができるので、特定エリアが当該システムのリソース管理サーバ１０ａ，１０ｂ等が管理するブロードキャストエリアの端部であったとしても良好に配信情報を配信することができる。
【００６２】
［第３実施形態］
次に、さらに別形態の情報配信システム３について説明する。
図７は第３実施形態の情報配信システム３の概略構成を示すブロック図、図８はリソース管理サーバ１０ａ，１０ｂのＣＰＵが実行する機能の概要を示すブロック図、図９はリソース管理サーバ１０ａ，１０ｂのＣＰＵが実行する配信処理を示すフローチャートである。
【００６３】
図７に示すように、本実施形態のリソース管理サーバ１０ａ，１０ｂは、自身が管理するブロードキャストエリアのうちの他のリソース管理サーバが管理するブロードキャストエリアとの境界に位置するエリアと、他のリソース管理サーバが管理するブロードキャストエリアのうちの自身のリソース管理サーバが管理するブロードキャストエリアとの境界に位置するエリアと、の両方に、同様の車両情報を送信する。
【００６４】
詳細には、図８および図９に示すように、データを配信しようとするエリアが自身が管理するエリアの端部である場合に（Ｓ２１０：ＹＥＳ）、前述のＳ２２０，Ｓ２３０の処理に換えて、配信車両情報生成部１５ａ，１６ｂとしての機能を用いて隣接するブロードキャストエリアのブロードキャストサービス制御部２２，２３にも車両情報を送信する（Ｓ３１０：他配信情報取得手段）。この際、ブロードキャストサービス制御部２２，２３は、リソース管理サーバ１０ａ，１０ｂから同じデータを取得することになる。
【００６５】
以上のような情報配信システム３においてブロードキャストサービス制御部２１〜２４は、他のリソース管理サーバ１０ａ，１０ｂ等が管理するブロードキャストエリアを表す他装置管理エリアのうちの特定エリアに隣接するブロードキャストエリアに対して他のリソース管理サーバ１０ａ，１０ｂが送信する他配信情報を取得し、配信情報と他配信情報とを合わせた情報を配信する。
【００６６】
このような情報配信システム１によれば、上記の第２実施形態と同様に、他のリソース管理サーバ１０ａ，１０ｂ等から車両情報を受けることができるので、特定エリアが当該システムのリソース管理サーバ１０ａ，１０ｂ等が管理するブロードキャストエリアの端部であったとしても良好に配信情報を配信することができる。
【００６７】
［第４実施形態］
次に、さらに別形態の情報配信システム４について説明する。図１０は第４実施形態の情報配信システム４の概略構成を示すブロック図、図１１はリソース管理サーバ１０ａ，１０ｂのＣＰＵが実行する機能の概要を示すブロック図である。
【００６８】
第３実施形態の情報配信システム３では、リソース管理サーバ１０ａ，１０ｂがブロードキャストサービス制御部２２，２３に対して同じ車両情報を送信したが、本実施形態の情報配信システム４では、自身が管理するエリアにおけるブロードキャストサービス制御部２２，２３に送信する車両情報と隣接するリソース管理サーバが管理するエリアにおけるブロードキャストサービス制御部に送信する車両情報とを異なる車両情報とする。
【００６９】
詳細には、Ｓ３１０の処理の際に、図１１に示すように、エリア端車両情報検出部１４ａ，１２ｂとしての機能によって生成されたエリア端の車両情報を隣接するリソース管理サーバが管理するエリアにおけるブロードキャストサービス制御部に送信する。
【００７０】
例えば、リソース管理サーバ１０ａによる配信処理では、自身が管理するブロードキャストサービス制御部２２に対して、ブロードキャストエリア１の端部にて得られた車両情報と、ブロードキャストエリア２の全体にて得られた車両情報を送信する。その一方で、隣接するリソース管理サーバ１０ｂが管理するブロードキャストサービス制御部２３には、ブロードキャストエリア２の端部（リソース管理サーバ１０ｂが管理するブロードキャストエリア３に近い領域）にて得られた車両情報のみを送信する。
【００７１】
以上のような情報配信システム４においてブロードキャストサービス制御部２１〜２４は、他配信情報のうちのリソース管理サーバ１０ａ，１０ｂ等が管理するブロードキャストエリア近傍の端末装置１００から取得した車両情報のみに基づく他配信情報を取得する。
【００７２】
このような情報配信システム１によれば、他配信情報のうちの特定エリア付近の領域以外の情報を利用することがないので、特定エリア内の端末装置１００の近傍のより必要とされる情報のみを端末装置１００に送信することができる。
【００７３】
［その他の実施形態］
本発明の実施の形態は、上記の実施形態に何ら限定されることはなく、本発明の技術的範囲に属する限り種々の形態を採りうる。図１２（ａ）は第１変形例の情報配信システム５の概略構成を示すブロック図、図１２（ｂ）は情報配信システム５のリソース管理サーバ１０ａにおけるＣＰＵが実行するユニキャスト処理（ユニキャスト送信手段）を示すフローチャートである。
【００７４】
情報配信システム５に示すように、上記実施形態の構成に加えて、図１２に示すように、ブロードキャストを行う構成に加えて、ユニキャストを行う送信を付加してもよい。
詳細には、端末装置１００は、通信相手（ここでは無線基地局３２ａ〜３２ｃ）との通信品質レポート（電波強度や通信成功率等の情報）を通信相手に送信するよう構成されており（通信状態送信手段）、図１２（ｂ）に示すユニキャスト処理では、まず、リソース管理サーバエリア内（自身が管理する複数のブロードキャストエリア内）の車両の端末装置１００から無線品質レポートを受信する（Ｓ５１０）。そして、このレポートに基づき、エリア内の各端末装置１００がブロードキャスト配信情報を受信不可能であったか否かを判定する（Ｓ５２０）。
【００７５】
この処理では、例えば電波強度が一定未満であるなど、通信を行うに当たって障害となりうる程度の通信品質である場合に、配信情報を受信不可能であったと判断する。配信情報を受信不可能な端末装置１００がなければ（Ｓ５２０：ＮＯ）、直ちにユニキャスト処理を終了する。なお、ユニキャスト通信を行う際には、電波強度を高めたり、通信相手となる端末装置１００の位置に応じて指向性を変化させたりすることで端末装置１００での受信レベルが高くなるようにしてから情報を送信してもよい。
【００７６】
また、配信情報を受信不可能な端末装置１００があれば（Ｓ５２０：ＹＥＳ）、配信情報を受信不可能な端末装置１００に対してユニキャストで配信情報と同様のデータを送信する通信を行い（Ｓ５３０）、ユニキャスト処理を終了する。
【００７７】
このような情報配信システム１によれば、通信状態が良くない場合に、ユニキャスト通信を行うことで車両情報を再送することができるので、より確実に配信情報を端末装置１００に送信することができる。
【００７８】
また、上記実施形態においては、無線基地局３２ａ〜３２ｃ，４２ａ〜４２ｃ，５２ａ〜５２ｃ，６２ａ〜６２ｃと、各端末装置１００との通信方式についての言及はしていないが、各ブロードキャストエリアに配信される配信情報同士が各エリアの境界付近で混信しないような構成としてもよい。例えば図１３（ａ）に示すように、ブロードキャストエリア毎に異なるタイミングで配信情報を送信する時分割多重通信としてもよいし、図１３（ｂ）に示すように、ブロードキャストエリア毎に異なる送信周波数を割り当てる周波数多重通信としてもよい。また、図１３（ｃ）に示すように、時分割多重通信と周波数多重通信とを組み合わせてもよい。
【００７９】
このような情報配信システム１によれば、複数のブロードキャストエリアの境界部分において配信情報が混信することを防止することができる。
【符号の説明】
【００８０】
１〜５…情報配信システム、１０ａ，１０ｂ…リソース管理サーバ、１１ａ，１１ｂ，１３ａ，１３ｂ…車両情報集約部、１２ａ，１２ｂ，１４ａ，１４ｂ…エリア端車両情報検出部、１５ａ，１５ｂ，１６ａ，１６ｂ…配信車両情報生成部、２１〜２４…ブロードキャストサービス制御部、３１，４１，５１，６１…ゲートウェイ装置、３２ａ〜３２ｃ，４２ａ〜４２ｃ，５２ａ〜５２ｃ，６２ａ〜６２ｃ…無線基地局、１００…端末装置。
【図２】
0005729263.tif 000002
【図３】
0005729263.tif 000003
【図５】
0005729263.tif 000004
【図６】
0005729263.tif 000005
【図８】
0005729263.tif 000006
【図９】
0005729263.tif 000007
【図１１】
0005729263.tif 000008
【図１３】
0005729263.tif 000009
【図１】
0005729263.tif 000010
【図４】
0005729263.tif 000011
【図７】
0005729263.tif 000012
【図１０】
0005729263.tif 000013
【図１２】
0005729263.tif 000014